(57)【要約】      （修正有）【課題】閉鎖した環状の持ち手を有する容器に固定することが容易であり、茶などを抽出するために有用な、透水性の袋を提供する。【解決手段】開いた頂縁を有する透水性の袋１が提供され、この頂縁の近傍に、頂縁と同じ方向に伸びる引き裂き案内部が設けられており、これに沿ってこの袋１を引き裂くことによって、取っ手８が形成される。この取っ手８が、２つの自由端部４１Ａ、４１Ｂを有するので、閉鎖した環状の持ち手２４を有するマグカップなどの容器２１にこの取っ手８を結びつけることが容易である。【選択図】図４
2010143601.tif 000002
【特許請求の範囲】
【請求項１】
縦方向およびこれと直交する横方向；
内面および外面を有し、かつ前記内面が対向するように互いに重ね合わせられている、透水性の第１および第２シート部分；
前記横方向に伸びる頂縁および底縁、ならびに前記縦方向に伸びる第１側縁および第２側縁；ならびに
前記頂縁の近傍に、前記第１および第２シート部分それぞれにおいて前記横方向に伸びる、第１および第２引き裂き案内部を、有し、
前記第１および第２シート部分は、前記底縁および前記第１側縁において閉じ、前記頂縁において開き、前記第２側縁は、前記底縁から前記第１および第２引き裂き案内部の近傍まで閉じており、
前記第１および第２引き裂き案内部は、前記横方向において、前記第１側縁の内側から前記第２側縁の外側まで伸びている、透水性の袋であって、
前記第２側縁は、前記第１および第２引き裂き案内部から前記頂縁まで開いていることを特徴とする、前記透水性の袋。
【請求項２】
縦方向およびこれと直交する横方向；
内面および外面を有し、かつ前記内面が対向するように互いに重ね合わせられている、透水性の第１および第２シート部分；
前記横方向に伸びる頂縁および底縁、ならびに前記縦方向に伸びる第１側縁および第２側縁；ならびに
前記頂縁の近傍に、前記第１および第２シート部分それぞれにおいて前記横方向に伸びる、第１および第２引き裂き案内部を、有し、
前記第１および第２シート部分は、前記底縁、前記第１側縁および前記第２側縁において閉じ、前記頂縁において開いており、
前記第１および第２引き裂き案内部は、前記横方向において、前記第１側縁の内側から前記第２側縁の外側まで伸びている、透水性の袋であって、
前記第１または第２シート部分において、前記第１または第２引き裂き案内部から前記頂縁の外側まで伸びる切断案内部を有し、
前記透水性の袋は、前記切断案内部以外では前記第１および第２シート部分が前記縦方向へ実質的に裂けることがないように形成されていることを特徴とする、前記透水性の袋。
【発明の詳細な説明】
【技術分野】
【０００１】
この発明は、茶およびコーヒーなどを入れたり、だし汁を作ったりするときなどに使用するのに好適な、透水性の袋に関する。
【背景技術】
【０００２】
従来、茶葉などを入れた透水性の袋に糸を取り付けて吊り紐とし、ティーカップ、急須などに手を汚すことなく出し入れすることができるティーバッグが、使用されている。
【０００３】
従来の糸つきのティーバッグの製造においては、袋と糸という形状の全く異なる材料を扱う必要があるため、工程が煩雑となりかつ製造装置が複雑になることが避けられない。また、製造されたティーバッグは、包装の際に糸が邪魔になったり、あるいは使用の際に糸が外れたりするおそれがある。
【０００４】
また、従来の糸つきティーバッグは、茶葉を入れた袋に封をし、その封をした箇所に糸の一端を固定することによって吊り紐とするものであることから、この吊り紐は自由な端部を１つしか有さないため、ティーカップおよび急須などに固定するには不向きである。このため、抽出時にこの吊り紐がカップや急須の中に入ってしまい、袋の取り出しが困難になるというおそれがある。さらに、このようなティーバッグは、茶葉を袋内に封入してあるため、茶葉が袋の中で十分に広がるための空間を確保することが困難である。茶葉と湯との接触が限定されることにより、茶葉を直に急須に入れた場合と比較して、茶の抽出の効率が低い。茶の抽出の効率が低い場合、茶を入れるのに時間がかかり、しかも、熱い湯で短時間に抽出することによってよりよい風味が得られる紅茶などの茶葉においては、茶の味を損なう原因となる。
【０００５】
特許文献１において、濾過性のティーバッグ原紙を二つ折りにし、その三周縁を圧着にて封をするとともに、この圧着部の１つにおいて互い違いにかつ端縁に平行して切目を刻設し、使用時にこの切目で原紙を切り離すことによってティーバッグの吊り紐とする考案が、開示されている。
【０００６】
特許文献１にかかるティーバッグは、ティーバッグ原紙のみを材料とする点で、糸つきティーバッグの問題点を一部克服している。
【０００７】
しかし、特許文献１のティーバッグの吊り紐は、ティーバッグに一端が固定されており、自由な端部が１つしかないことから、やはりティーカップおよび急須などに固定するには不向きである。また、このティーバッグも従来の糸つきティーバッグと同じく茶葉が封入されているので、抽出の効率が低い。
【０００８】
特許文献２に記載されている袋は、折り重なった透水性シートからなる袋であって、底となる底縁、それに対向する頂縁、ならびに底縁および頂縁の間に伸びる側縁を有し、それらの縁のうち頂縁が開いておりかつ他の３つの縁が閉じており、その頂縁の近傍に、頂縁と平行に引き裂き容易な部位が設けられていることによって、使用時にこの引き裂き容易な部位を引き裂いて環状の取っ手を形成することができる。
【０００９】
特許文献２にかかる袋は、透水性のシートのみを材料とする利点を有するだけでなく、環状の取っ手が形成されるため、棒状の持ち手を有する急須などに引っ掛けて使用する場合、固定することができるので、きわめて便利である。また、この袋は、頂縁が開かれており開口を有するため、茶葉などの抽出対象物と湯などの液体とが接触可能である空間が広く、抽出の効率がきわめてよい。さらに、開口から湯を注ぐことが可能となるため、コーヒーのペーパードリップなどにも有用である。
【００１０】
しかし、特許文献２の袋は、両端で容器に固定されている閉鎖した環状の持ち手を有する容器を使用して抽出を行う場合、その持ち手に固定するには不向きである。
【００１１】
近年、より簡便な方法で、よりおいしい茶、コーヒーなどを入れることへの需要が高まっている。特に、ティーカップおよびマグカップのような容器を用いて１人分の茶などを入れることが望まれているが、これらの容器は、閉鎖した環状の持ち手を有する場合が多い。容器に固定して使用可能な透水性の袋は、抽出時間に使用者が持ち続けている必要がないので、多忙な場合に便利である。また、袋の開口から湯を注ぐ場合、容器に固定することができない袋は、袋を保持するために片手が塞がってしまうので、きわめて使用し難い。
【特許文献１】実開昭５６−８８６４０号公報
【特許文献２】特許第３６７５７４９号明細書
【発明の開示】
【発明が解決しようとする課題】
【００１２】
したがって、本発明は、閉鎖した環状の持ち手を有する容器に固定することが容易であり、茶などを抽出するために有用な、透水性の袋を提供することを課題としている。
【課題を解決するための手段】
【００１３】
上記の課題を解決するために、本発明が提供する透水性の袋は、以下の通りのものである。すなわち、該透水性の袋は、縦方向およびこれと直交する横方向；内面および外面を有し、かつ該内面が対向するように互いに重ね合わせられている、透水性の第１および第２シート部分；該横方向に伸びる頂縁および底縁、ならびに該縦方向に伸びる第１側縁および第２側縁；ならびに該頂縁の近傍に、該第１および第２シート部分それぞれにおいて該横方向に伸びる、第１および第２引き裂き案内部を、有する。該第１および第２シート部分は、該底縁および該第１側縁において閉じ、該頂縁において開き、該第２側縁は、該底縁から該第１および第２引き裂き案内部の近傍まで閉じている。該第１および第２引き裂き案内部は、該横方向において、該第１側縁の内側から該第２側縁の外側まで伸びている。該透水性の袋は、該第２側縁が、該第１および第２引き裂き案内部から該頂縁まで開いていることを、特徴とする。該第１および第２シート部分を、該第１および第２引き裂き案内部で引き裂くことによって、２つの自由端部を有し、該２つの自由端部の間で該第１側縁につながる紐状の取っ手が、形成される。
【００１４】
本発明はまた、以下の透水性の袋を提供するものでもある。すなわち、該透水性の袋は、縦方向およびこれと直交する横方向；内面および外面を有し、かつ該内面が対向するように互いに重ね合わせられている、透水性の第１および第２シート部分；該横方向に伸びる頂縁および底縁、ならびに該縦方向に伸びる第１側縁および第２側縁；ならびに該頂縁の近傍に、該第１および第２シート部分それぞれにおいて該横方向に伸びる、第１および第２引き裂き案内部を、有する。該第１および第２シート部分は、該底縁、該第１側縁および該第２側縁において閉じ、該頂縁において開いている。該第１および第２引き裂き案内部は、該横方向において、該第１側縁の内側から該第２側縁の外側まで伸びている。該透水性の袋は、該第１または第２シート部分において、該第１または第２引き裂き案内部から該頂縁の外側まで伸びる切断案内部を有し、該切断案内部以外では該第１および第２シート部分が該縦方向へ実質的に裂けることがないように形成されていることを、特徴とする。該第１および第２シート部分を、該第１および第２引き裂き案内部で引き裂き、次いで該第１および第２引き裂き案内部と該頂縁との間を該切断案内部において該縦方向に切断することによって、２つの自由端部を有し、該２つの自由端部の間で該第１側縁につながる紐状の取っ手が、形成される。
【発明の効果】
【００１５】
本発明において提供される透水性の袋は、開いた頂縁の近傍に、頂縁と同じように横方向に伸びる引き裂き案内部が設けられており、この引き裂き案内部においてこの袋を引き裂くことによって、取っ手が形成される。この取っ手は、２つの自由端部を有するので、閉鎖した環状の持ち手を有するマグカップなどの容器にこの取っ手を結びつけることが容易になる。
【発明を実施するための最良の形態】
【００１６】
添付の図面を参照して、本発明にかかる透水性の袋を、詳細に説明する。
【００１７】
図１は、本発明の透水性の袋１の平面図であり、図２は、図１のＩＩ−ＩＩ線矢視図であるが、第１シート部分１Ａおよび第２シート部分１Ｂの厚さは、誇張して示されている。
【００１８】
図１、２に示すように、袋１は、内面および外面を有する透水性の第１および第２シート部分１Ａ、１Ｂを含み、これら第１および第２シート部分１Ａ、１Ｂは、内面が対向するように互いに重ね合わせられている。袋１は、横方向Ｘに伸びる頂縁２および底縁３、ならびに縦方向Ｙに伸びる第１側縁４および第２側縁５を有する。第１および第２シート部分１Ａ、１Ｂは、第１側縁４における第１接合部１１および第２側縁５における第２接合部１２において、互いに接合することによって袋１を形成している。本明細書中において、第１シート部分１Ａと第２シート部分１Ｂとが互いに『接合する』とは、袋１の使用中に、第１シート部分１Ａと第２シート部分１Ｂとが剥がれることのないように、接ぎ合わされていることをいう。
【００１９】
頂縁２の近傍には、頂縁２と平行な第１および第２引き裂き案内部６Ａ、６Ｂが、それぞれ第１および第２シート部分１Ａ、１Ｂに、横方向Ｘと縦方向Ｙとにおける位置が一致するように形成されている。この第１および第２引き裂き案内部６Ａ、６Ｂは、横方向Ｘにおいて、第１接合部１１の内側から第２側縁５の外側まで伸びる。本明細書中で『引き裂き案内部』とは、袋１の横方向Ｘの引き裂きを容易にする手段を適用した部分である。
【００２０】
頂縁２と第１および第２引き裂き案内部６Ａ、６Ｂとの間には、幅Ｗの第１および第２帯域４０Ａ、４０Ｂがそれぞれ形成されている。第１帯域４０Ａと第２帯域４０Ｂとは、第１側縁４において第１接合部１１で互いに接合しているが、第２側縁５は接合しておらず、互いに離間可能である。
【００２１】
図３は、第１および第２帯域４０Ａ、４０Ｂを第２側縁５の近傍の部位１３（図１）においてつまんで矢印Ｐ（図１）で示す方向に引っ張り、第１および第２引き裂き案内部６Ａ、６Ｂで引き裂いた袋１の、斜視図である。ここで、第１および第２帯域４０Ａ、４０Ｂは、２つの自由端部４１Ａ、４１Ｂを有する紐状の取っ手８を形成する。第１および第２引き裂き案内部６Ａ、６Ｂは、横方向Ｘにおける接合部１１の内側から形成されているので、接合部１１を超えて第１側縁４を引き裂くことはない。したがって、この取っ手８は、２つの自由端部４１Ａ、４１Ｂの間で第１側縁４につながっている。
【００２２】
図４は、容器（マグカップ）２１に対する袋１の使用状態を示す図である。図示するように、取っ手８を閉鎖した環状の持ち手２４に結びつけることにより、袋１を容器２１に容易に固定することができる。本明細書中で、『閉鎖した環状の持ち手』とは、ティーカップ、コーヒーカップ、マグカップ、土瓶、やかんなどの、両端が容器に固定されている持ち手を意味する。第１および第２シート部分１Ａ、１Ｂは、頂縁２において開かれて、大きな開口１４を形成している。この開口１４からは、抽出対象物２２を簡単に入れることができる。この袋１は、液体２３を満たした容器２１に入れるか、または容器２１に入れた後に開口１４から液体２３を注ぐことによって、頂縁２が閉じた状態の袋と比較してより広い空間で抽出対象物２２と液体２３とを接触させることができ、効率的に抽出することができる。
【００２３】
袋１の第１および第２シート部分１Ａ、１Ｂは、好ましくは、熱可塑性の合成繊維で形成された透水性の不織布であり、この場合、第１および第２シート部分１Ａ、１Ｂは、ヒートシール、ソニックシール、縫合などの、当業者に周知の方法によって接合される。熱可塑性の不織布には、１００℃の熱湯でも軟化することのない耐熱性のものを使用する。第１および第２シート部分１Ａ、１Ｂは、不織布に代えて、熱可塑性合成樹脂で形成された開孔フィルムなどであってもよく、この場合、孔径は、抽出対象物２２は通らないが、水が通る大きさのものを選択する。
【００２４】
第１および第２引き裂き案内部６Ａ、６Ｂの引き裂きを容易にする手段の一例は、第１または第２シート部分１Ａ、１Ｂを厚さ方向に貫通する、横方向に間欠的に並ぶように形成された複数のスリットである。スリットの形状は、直線状、矩形、楕円形、円形などであり得る。引き裂きを容易にする手段は、スリットに代わる他の手段であってもよい。
【００２５】
袋１が第１および第２引き裂き案内部６Ａ、６Ｂにおいて引き裂かれる際に、接合部１１を超えて第１側縁４の外側まで引き裂いてしまうことを防ぐために、第１および／または第２シート部分１Ａ、１Ｂを第１側縁４で折り重ねて第１接合部１１で溶着することにより、第１および第２帯域４０Ａ、４０Ｂを第１側縁４で補強してもよい。
【００２６】
抽出対象物２２は、紅茶、緑茶、ほうじ茶、烏龍茶などの茶葉であってもよく、また、挽いたコーヒー豆、削り節、煮干、昆布、香辛料、ハーブ、ブーケガルニなどであってもよい。液体２３は、湯または水であってもよく、また、牛乳、酒、油などの他の液体であってもよい。
【００２７】
図１〜図４に示した実施形態において、袋１の第１および第２シート部分１Ａ、１Ｂは、１枚のシートを底縁３において折り曲げることによって形成されている。しかし、本発明において、第１および第２シート部分１Ａ、１Ｂは、それぞれ個別のシートであってもよく、また、１枚のシートを底縁以外の他の縁で折り曲げることによって形成されていてもよい。
【００２８】
なお、第１および第２シート部分１Ａ、１Ｂのそれぞれは、１枚または複数枚のシートを重ね合わせたものであってもよい。
【００２９】
図１の袋１において、第１および第２帯域４０Ａ、４０Ｂは、第２側縁近傍の部位１３において、仮止めされていてもよい。部位１３において第１および第２シート部分１Ａ、１Ｂを仮止めすることによって、第１および第２帯域４０Ａ、４０Ｂの第２側縁５近傍がそれぞればらばらに折れ曲がって裏返しになることがなくなり、袋１の外観が向上する。部位１３における仮止めは、第１および第２引き裂き案内部６Ａ、６Ｂにおいて袋１を引き裂く前または後のいずれでも容易に外すことができる。このような仮止めは、部位１３において、第１および第２シート部分１Ａ、１Ｂにニードルパンチングを施したり、または第１および第２シート部分１Ａ、１Ｂに熱可塑性合成繊維が含まれる場合には、できるだけ低い温度での加圧処理を施したりすることによって、達成され得る。
【００３０】
図５は、実施形態の他の一例を示す、図２と同様の矢視図である。図５の袋１は、底に断面ほぼＷ形に形成されたタック７を有する。タック７は、使用時に袋内に広い空間を提供し、抽出対象物と液体との接触を良好にする。
【００３１】
図６は、実施形態の他の一例を示す、図２と同様の矢視図である。図６の袋１において、第１シート部分１Ａは、袋１の頂縁２に沿って第１引き裂き案内部６Ａまで折り返されていて、第１帯域４０Ａにおいて二重になっている。第１引き裂き案内部６Ａは、一重の第１シート部分１Ａに設けられている。この二重の第１帯域４０Ａは、第１接合部１１以外の部分で広い範囲に渡って接合されており、第２帯域４０Ｂよりも高い剛性を有する。このような袋１は、第１および第２引き裂き案内部６Ａ、６Ｂを引き裂く際に、重なり合う第１帯域４０Ａと第２帯域４０Ｂとを指でつまみ易く、取っ手としてもつまみ易いという利点を有する。また、第１および第２引き裂き案内部６Ａ、６Ｂは、剛性の高い第１帯域４０Ａに沿って引き裂かれ易くなる。図６において、第１帯域４０Ａは、第１シート部分１Ａを折り返して接合することによって形成されているが、この実施形態に代えて、第２帯域４０Ｂが第２シート部分１Ｂを折り返して接合することによって形成されている実施形態で、発明を実施することもできる。また、第１および第２帯域４０Ａ、４０Ｂの両方が、第１および第２シート部分１Ａ、１Ｂ各々を折り返して接合することによって形成されていてもよい。さらに、第１および／または第２帯域４０Ａ、４０Ｂは、二重より多く折り重ねたシートを接合することによって形成されていてもよい。
【００３２】
図７は、実施形態の他の一例を示す、図１と同様の図である。ただし、図７においては、第１シート部分１Ａの第１帯域４０Ａの一部分が、袋１の外側へ折り返された状態で示されている。図７の袋１は、第１および第２帯域４０Ａ、４０Ｂに、頂縁２と平行な第３および第４引き裂き案内部１６Ａ、１６Ｂをそれぞれ有する以外は、図１の袋１と同じである。第３および第４引き裂き案内部１６Ａ、１６Ｂは、第１および第２シート部分１Ａ、１Ｂにおいて、横方向Ｘと縦方向Ｙとにおける位置が一致するように形成されており、横方向Ｘにおいて、第１側縁４の外側から第２側縁５の内側まで伸びる。また、接合部１１は、第３および第４引き裂き案内部１６Ａ、１６Ｂと頂縁２との間には形成されていない。したがって、第１および第２帯域４０Ａ、４０Ｂは、第２側縁５において互いに離間可能であるだけでなく、第１側縁４においても第３および第４引き裂き案内部１６Ａ、１６Ｂと頂縁２との間で互いに離間可能である。
【００３３】
図８は、第１および第２帯域４０Ａ、４０Ｂを、第１側縁４の第３および第４引き裂き案内部１６Ａ、１６Ｂと頂縁２との間においてつまんで矢印Ｒ（図７）で示す方向に引っ張って第３および第４引き裂き案内部１６Ａ、１６Ｂで引き裂き、また、第２側縁５においてつまんで矢印Ｐ（図７）で示す方向に引っ張って第１および第２引き裂き案内部６Ａ、６Ｂで引き裂いた袋１の、図３と同様の斜視図である。ここで、第１および第２帯域４０Ａ、４０Ｂは、２つの自由端部４２Ａ、４２Ｂを有する紐状の取っ手８を形成する。この取っ手８は、折り返し部４３Ａ、４３Ｂで折り返し、その間で第１側縁４につながっている。図８の取っ手８は、図１の取っ手８の約２倍の長さである。
【００３４】
図８の袋１が第３および第４引き裂き案内部１６Ａ、１６Ｂにおいて引き裂かれる際に、第２側縁５の外側まで引き裂いてしまうことを防ぐために、第１および／または第２シート部分１Ａ、１Ｂを、折り返し部４３Ａおよび／または４３Ｂで折り重ねて溶着することにより、折り返し部４３Ａおよび／または４３Ｂを補強してもよい。
【００３５】
図９は、実施形態のさらに他の一例を示す、図１と同様の図である。図９の袋１において、本発明の袋１は、底縁３、第１側縁４および第２側縁５が閉じており、縦方向Ｙに第１引き裂き案内部６Ａから頂縁２の外側まで伸びる切断案内部１５を有する以外は、図１の袋１と同じである。本明細書中で『切断案内部』とは、第１および第２シート部分１Ａ、１Ｂを縦方向Ｙに切断することを容易にする手段を適用した部分である。ここで、第１および第２シート部分１Ａ、１Ｂを切断案内部１５以外の部分で縦方向Ｙに引き裂くことは、困難である。
【００３６】
図１０は、図８の袋１を、第２側縁５においてつまんで矢印Ｐ（図９）で示す方向に引っ張って第１および第２引き裂き案内部６Ａ、６Ｂで引き裂き、また、切断案内部１５の横方向Ｘの両側の部分（図９に示す４４、４５）を指でつまんで縦方向Ｙにおける逆方向にそれぞれ引っ張って第１帯域４０Ａを切断案内部１５で切断した袋１の、図３と同様の斜視図である。ここで、第１および第２帯域４０Ａ、４０Ｂは、２つの自由端部４４、４５を有する紐状の取っ手８を形成し、この取っ手８は、２つの自由端部４４、４５の間で第１側縁４につながっている。
【００３７】
図１０に示す袋１において、切断案内部１５は、第１引き裂き案内部６Ａに１つ存在しているが、第２引き裂き案内部６Ｂにのみ存在してもよく、また、両方に存在してもよい。切断案内部１５は、横方向Ｘの任意の位置に存在し得、それによって、第１側縁４からの距離が任意である２つの端部を有する取っ手８を形成し得る。
【００３８】
切断案内部の切断を容易にする手段は、引き裂き案内部の引き裂きを容易にする手段と同じであっても、異なっていてもよい。この手段の一例は、第１または第２シート部分１Ａ、１Ｂを厚さ方向に貫通する、縦方向に間欠的に並ぶように形成された複数のスリットである。
【００３９】
図１１は、実施形態の他の一例を示す、図１と同様の図であるが、図１１においては、袋１の角部の１つにおいて、重なり合う第１シート部分１Ａと第２シート部分１Ｂとが折り返された状態で示されている。折り返されていない袋１の第１側縁４および頂縁２を、二点鎖線で示す。図１１の袋１は、頂縁２が第３接合部１７によって閉じており、第１および第２シート部分１Ａ、１Ｂにおいて、第３接合部１７と第１および第２引き裂き案内部６Ａ、６Ｂとの間に頂縁２と平行な第５および第６引き裂き案内部２６Ａ、２６Ｂをそれぞれ有する。この第５および第６引き裂き案内部２６Ａ、２６Ｂは、第１および第２シート部分１Ａ、１Ｂにおいて、横方向Ｘと縦方向Ｙとにおける位置が一致するように形成されており、横方向Ｘにおいて、第１側縁４の外側から第２側縁５の外側まで伸びる。切断案内部１５は、第１接合部１１と第２接合部１２との間で、第１引き裂き案内部６Ａから第５引き裂き案内部２６Ａを通って、頂縁２に向かって縦方向Ｙに伸びる。
【００４０】
袋１を、例えば第２側縁と頂縁２との角をつまんで矢印Ｐ（図１１）で示す方向に引っ張って第５および第６引き裂き案内部２６Ａ、２６Ｂで引き裂くことにより、第３接合部１７を含む部分を切り落とすと、図９に示す袋１と同じ袋が形成される。
【００４１】
図１１に示す実施形態において、使用前の袋１は４つの縁全てが閉じているので、抽出対象物２２をあらかじめ封入した状態で使用者に提供するのに適している。袋１の中にあらかじめ茶葉などの抽出対象物２２を封入した状態で袋１を提供することにより、使用者はより手軽に茶などを入れることができる。
【００４２】
図１２は、実施形態の他の一例を示す、図１と同様の図であるが、説明のために一部が破断して示されている。図１２の袋１は、第１シート部分１Ａを袋１の頂縁２に沿って外側に折り返すことによって形成された、第３シート部分１Ｃを有すること以外は、図１の袋１と同じである。第３シート部分１Ｃは、頂縁２において第１シート部分１Ａとつながっており、底縁３に向かって下向きに伸びている。第１シート部分１Ａと第３シート部分１Ｃとが重なっている二重部分３０において、第１および第３引き裂き案内部６Ａ、６Ｃが、第１シート部分１Ａおよび第３シート部分１Ｃのそれぞれに形成されている。第２シート部分１Ｂには、第２引き裂き案内部６Ｂが形成されており、第１〜第３引き裂き案内部６Ａ〜６Ｃは、横方向Ｘと縦方向Ｙとにおける位置を互いに一致させるように形成されている。また、二重部分３０において、第１シート部分１Ａと第３シート部分１Ｃとは、第１および第２接合部１１、１２においてのみ接合されており、他の部分では接合されていない。したがって、第１シート部分１Ａおよび第３シート部分１Ｃは、袋１の外側に、頂縁２において閉じ、底縁３に向かって開く、ポケット３１を形成している。図１２の袋１は、第１〜第３引き裂き案内部６Ａ〜６Ｃを引き裂くことによって、図１の袋１と同様に使用することができる。このような使用の仕方に代えて、図１２の袋１に抽出対象物を入れた後、第１〜第３シート部分１Ａ〜１Ｃが第１および第２接合部１１、１２において接合されている角部３４、３５を、仮想線３２および３３に沿って第２シート部分１Ｂ側に折り返し、その後さらに、第１および第３シート部分１Ａ、１Ｃで第２シート部分１Ｂを挟むように、第３シート部分１Ｃを頂縁２に沿って裏返すことによって、袋１の頂縁２を閉じることができる。このように閉じた袋１は、抽出対象物が袋１からこぼれるおそれがないので、麦茶、かつお節、ブーケガルニなどをやかんや鍋に入れて煮出す際などに便利である。このようなポケットを有する袋の形態は、例えば実開昭５９−１３８５６８号公報によって公知である。図１２の袋１において、第１〜第３シート部分１Ａ〜１Ｃは、１枚のシートを折り曲げることによって形成されているが、第１〜第３シート部分１Ａ〜１Ｃが２枚または３枚の個別のシートから形成される実施形態で、発明を実施することもできる。
【００４３】
図１３は、実施形態の他の一例を示す、図１と同様の図である。図１３の袋１は、第１シート部分１Ａにおいて、第１引き裂き案内部６Ａの近傍であって底縁３側の位置に、第１挿通孔３６Ａを有する。第２シート部分１Ｂには、第１挿通孔３６Ａと同じ形状の第２挿通孔（図示せず）が、横方向Ｘと縦方向Ｙとにおける位置を第１挿通孔３６Ａと一致させるように形成されている。第２シート部分１Ｂにはまた、第２引き裂き案内部（図示せず）が、横方向Ｘと縦方向Ｙとにおける位置を第１引き裂き案内部６Ａと一致させるように形成されている。このような袋１は、抽出対象物を入れた後で、仮想線で示すように、第１引き裂き案内部６Ａおよび第２引き裂き案内部を引き裂いて形成した取っ手８の自由端部４１Ａ、４１Ｂの少なくとも一方を、第１挿通孔３６Ａおよび第２挿通孔に通すことにより、頂縁２を閉じることができる。このような袋１は、ペットボトルに入れた水で水出しの茶を作る際などに、それを揺らしても茶葉がこぼれにくいという特徴を有する。第１挿通孔３６Ａの図示例の形状は矩形であるが、第１挿通孔３６Ａは、円形、楕円形、線形など適宜の形状に変更することができる。
【００４４】
上述のように、本発明の透水性の袋は、閉鎖した環状の持ち手を有する容器に固定することができるので、短時間で茶やコーヒーなどを入れる必要がある場合に、きわめて便利に使用することができる。
【図面の簡単な説明】
【００４５】
【図１】本発明にかかる透水性の袋の平面図。
【図２】図１のＩＩ−ＩＩ線矢視図。
【図３】取っ手が形成されている図１の袋の斜視図。
【図４】図３の袋の使用状態を示す図。
【図５】実施形態の一例を示す、図２と同様の矢視図。
【図６】実施形態の他の一例を示す、図２と同様の矢視図。
【図７】実施形態の他の一例を示す平面図。
【図８】図７の袋の使用時の形態の斜視図。
【図９】実施形態の他の一例を示す平面図。
【図１０】図９の袋の使用時の形態の斜視図。
【図１１】実施形態の他の一例を示す平面図。
【図１２】実施形態の他の一例を示す破断平面図。
【図１３】実施形態の他の一例を示す平面図。
【符号の説明】
【００４６】
１      袋
１Ａ    第１シート部分
１Ｂ    第２シート部分
２      頂縁
３      底縁
４      第１側縁
５      第２側縁
６Ａ    第１引き裂き案内部
６Ｂ    第２引き裂き案内部
８      取っ手
１５    切断案内部
【図１】
2010143601.tif 000003
【図２】
2010143601.tif 000004
【図３】
2010143601.tif 000005
【図４】
2010143601.tif 000006
【図５】
2010143601.tif 000007
【図６】
2010143601.tif 000008
【図７】
2010143601.tif 000009
【図８】
2010143601.tif 000010
【図９】
2010143601.tif 000011
【図１０】
2010143601.tif 000012
【図１１】
2010143601.tif 000013
【図１２】
2010143601.tif 000014
【図１３】
2010143601.tif 000015